(57)【要約】【課題】複数のパネル組み合せ方を変えることができ、インテリア空間に変化を与えることができる装飾パネルセットの提供を目的とする。【解決手段】壁面等に複数のパネルを組み合せて掛ける装飾パネルセットであって、各パネルは表面に装飾パターンが表現されているとともに、相互に接触又は近接するように配置可能であり、且つ、接触又は近接する一辺の組み合せが任意に選択できることを特徴とする。【選択図】  図１
2014000676.tif 000002
【特許請求の範囲】
【請求項１】
壁面等に複数のパネルを組み合せて掛ける装飾パネルセットであって、
各パネルは表面に装飾パターンが表現されているとともに、相互に接触又は近接するように配置可能であり、
且つ、接触又は近接する一辺の組み合せが任意に選択できることを特徴とする装飾パネルセット。
【請求項２】
前記各パネルの外形は同じ大きさであり、２以上のパネルを組み合せ配置し、各パネルの外形を構成する辺のうち、任意の一辺同士が接触又は近接するように配置換え可能であることを特徴とする請求項１記載の装飾パネルセット。
【請求項３】
前記各パネルは裏面中央部に正多角形の形状からなる凹部を有し、
当該凹部の任意の一辺を用いて、壁面に取り付けた支持具に引っ掛けるものであることを特徴とする請求項１又は２記載の装飾パネルセット。
【発明の詳細な説明】
【技術分野】
【０００１】
本発明はインテリア空間に飾る装飾パネルに関する。
【背景技術】
【０００２】
従来からインテリア空間の壁面に絵画を掛けることが行われている。
しかし、絵画には変化がなく、本発明者らはインテリア空間に変化を与えることができる装飾パネルを検討した結果、本発明に至った。
特許文献１には連結式フレームセットを開示し、特許文献２，３には組み合せ可能なパネルを開示するが、いずれも複数のパネルを単に連結するだけのものであり、変化性に劣るものであった。
【先行技術文献】
【特許文献】
【０００３】
【特許文献１】特開２００４−７３７９６号公報
【特許文献２】実開昭５４−２９８９４号公報
【特許文献３】実開昭５１−２１６９７号公報
【発明の概要】
【発明が解決しようとする課題】
【０００４】
本発明は、複数のパネル組み合せ方を変えることができ、インテリア空間に変化を与えることができる装飾パネルセットの提供を目的とする。
【課題を解決するための手段】
【０００５】
本発明に係る装飾パネルセットは、壁面等に複数のパネルを組み合せて掛ける装飾パネルセットであって、各パネルは表面に装飾パターンが表現されているとともに、相互に接触又は近接するように配置可能であり、且つ、接触又は近接する一辺の組み合せが任意に選択できることを特徴とする。
【０００６】
本発明で各パネルを相互に接触又は近接するように配置可能であるとは２枚以上のパネルを部分的に接触するように並べて、全体として連続的な又は１つのまとまりのあるデザインを形成する趣旨である。
各パネルの形状はそれぞれ異なってもよく、好ましくは各パネルが同じ大きさ及び形状であると、例えばタイル張りのように複数のパネルを縦又は／及び横に並べて配設できる。
各パネルの外形形状は、正三角形，正方形，正五角形，正六角形等の正多角形、円形状、星形形状及び各種モチーフを用いた意匠形状等、複数のパネルで一つの平面状の装飾パネル体が形成できれば、その形状に限定がない。
装飾パネル体を構成する各パネルは、任意の一辺が接触又は近接するように配置換え可能である。
なお、代表例としては、パネルの外形が同じ大きさの正方形であり、２以上のパネルを組み合せ配置し、各パネルの上下左右の辺のうち、任意の一辺同士が接触するように配置可能であるものが例として挙げられる。
本発明で各パネルの表面に形成されている装飾パターンに制限はないが、組み合せる複数のパネルの各パネルの表面に同一の絵柄の模様を施すことで、縦又は横の模様の連続性を楽しみ、各パネルの縦又は横の組み合せを変えると、その模様の連続性に変化が現れるものが好ましい。
また、例えば形状がデザイン化された大きいパネルとそれにワンポイント添える小さなパネルを組み合せる場合に、小さなパネルの配置位置を大きなパネルの上下左右に変えるだけでも全体に変化が生じる。
模様の表現方法は、平面的あるいは、凹凸模様及びレリーフ状であってもよい。
【０００７】
主としてプラスターボート下地クロス貼又は木製の壁面に本発明の各パネルと掛ける場合に、各パネルを所定の角度に回転させて配設する組み合せを簡単に行う方法として、各パネルは裏面中央部に正多角形からなる凹部を有し、この凹部の任意の一辺を用いて壁面に取り付けた支持具に引っ掛けるものであるのが望ましい。
【発明の効果】
【０００８】
本発明に係る装飾パネルは隣り合う各パネルの相互に接触又は近接する一辺を他の一辺に変えることで複数パネル全体で表現される絵柄に変化が生じ、インテリア空間に変化を与えることができる。
これにより、インテリア空間を例えば季節の変化に合せ、あるいは周囲の家具やカーテン等に合せて変化させることができる。
【図面の簡単な説明】
【０００９】
【図１】同じ斜め方向の凹凸模様を有する４枚のパネルを組み合せた装飾パネルセットの例を示す。
【図２】（ａ），（ｂ）は４枚のパネルの隣接する一辺を他の辺に変える組み合せの変化にて全体の絵柄に変化を与えた例を示す。
【図３】パネルの裏面中央部に形成した凹部形状例を示す。
【図４】支持具の構造例を示す。
【図５】パネルを支持具に引掛ける構造例を示し、（ａ）は一辺ａを上側にした例で、（ｂ）はこの一辺ａを左側にした例である。
【図６】支持具の壁面への取り付け例と、ワイヤーによるパネルの連結例を示す。
【図７】パネルの表面に形成した絵柄とその組み合せ例を（ａ），（ｂ），（ｃ）にそれぞれ示す。
【図８】パネル８枚を組み合せた例を示す。
【発明を実施するための形態】
【００１０】
本発明に係る装飾パネルセットの具体例を以下図面に基づいて説明するが、本発明は以下の実施例に限定されるものではない。
【００１１】
図１〜図６には４枚の第１パネル〜第４パネル１１〜１４からなる装飾パネルセットの例を示す。
パネルの枚数は２枚以上であれば、その枚数に制限はない。
図１に示した第１〜第４パネル１１〜１４は同じ大きさ，同じ構造であり、図３に示すように表面に同じの斜めの凹凸模様１１ｃを形成した例になっている。
第１パネル１１を例に説明し、第２〜第４パネルは対応する符号を附してあるので、説明を省略する。
第１１パネルは正方形からなり、図３に示すように第１１パネルの裏面中央部に正方形の凹部１１ａを形成してある。
凹部１１ａは開口部寸法よりも凹部の底部側の寸法が大きくなった傾斜面１１ｂからなる側壁となっている。
壁面にパネルを引っ掛けるための支持具２０の構造例を図４〜図６に示す。
壁面に接触する取り付け面２１から下側で折り返し辺２２を形成し、この折り返し辺２２の上部にパネルの凹部１１ａの上側の傾斜面１１ｂに当接し、支持するための上方外側に向けて斜めに突出した支持片２３を有する。
支持具２０をこの支持具に設けた固定孔２４を介して図６に示すようにピン３０を壁面に刺し固定する。
ピン３０は壁面から抜いても跡が見えにくいようになっていて刺し変えが容易である。
ピン３０の刺す角度は先端が斜め下方に向くようにするのが好ましい。
ピン３０を斜めに刺すことで、パネルの引っ掛け強度が高くなる。
また、取付面２１と折り返し片２２との間にワイヤー等を通し、このワイヤーをパネルの裏面と連結し、公共空間等において防犯性を有するようにしてもよい。
【００１２】
図１に示すように４つの支持具２０は、上下及び左右方向等間隔になるように壁面に固定してあり、４枚のパネルはそれぞれ９０°毎に回転させても隣接するパネル同士を組み合せて１つのパネル体に形成することができる。
例えば、図１に示すように各パネルの一辺ａが全て上辺になるように組み合せた状態に対して、例えば図２（ａ）に示すように第１パネル１１と第４パネル１４との一辺ａが左側になるように組み合せたり、図２（ｂ）に示すように第３パネルと第２パネルとの一辺ａが左側になるように組み変えることもできる。
これにより、４枚のパネルで表現された連続模様が大きく変化する。
【００１３】
図７は円模様を基調とした４枚のパネル１１１〜１１４の組み合せ例を示し、図８は８枚のパネル１１１〜１１８の組み合せ例を示す。
このように本発明に係る装飾パネルセットは、構成する各パネルの組み合せが自由であり、同一模様の複数のパネルであってもパネル体全体の表面デザインが大きく変化する。
また、パネルの表面がレリーフ状であれば、光の陰影により立体的に見せることも可能でありパネルの配置角度を変えると、この陰影にも変化が現れる。
本実施例は正方形のパネルであったが、本発明は複数のパネル全体で１つのまとまりのある装飾パネル体が形成でき、この装飾パネル体を構成する各パネルの裏面に設けた多角形の凹部の一辺を利用して配置するパネルの角度を変えたり、支持具のピンを刺し変えて各パネルの配置を変えるものであればパネルの形状に制限はない。
【符号の説明】
【００１４】
１０      装飾パネルセット
１１      第１パネル
１１ａ    凹部
１２      第２パネル
１３      第３パネル
１４      第４パネル
２０      支持具
【図１】
2014000676.tif 000003
【図２】
2014000676.tif 000004
【図３】
2014000676.tif 000005
【図４】
2014000676.tif 000006
【図５】
2014000676.tif 000007
【図６】
2014000676.tif 000008
【図７】
2014000676.tif 000009
【図８】
2014000676.tif 000010